(57)【要約】    【課題】ＦＥＤパネルを使用した画像表示装置において、効率良く明るい画像が表示可能な技術を提供する。    【解決手段】本発明は、複数の電子放出素子(206,216,207,217,208,218)と、該複数の電子放出素子にそれぞれ対向して設けられ、該電子放出素子からの電子により発光される複数の蛍光体(103〜105)とを備える。上記電子放出素子は、２つの金属層間に絶縁層を挟んだ容量性の電子放出素子である。そして、複数の蛍光体のそれぞれに対応して、互いに電気的に直列接続された２つの容量性の電子放出素子(206-216,207-217,208-218)を配置する。【選択図】  図２
2006164578.tif 000002
【特許請求の範囲】
【請求項１】
画像表示装置において、
マトリクス状に配列された複数の電子放出素子と、
該複数の電子放出素子にそれぞれ対向して設けられ、該電子放出素子からの電子により発光される複数の蛍光体と、を備え、
前記電子放出素子が、２つの金属層間に絶縁層を挟んだ容量性の電子放出素子であり、前記複数の蛍光体のそれぞれに対応して、互いに電気的に直列接続された少なくとも２つの前記容量性の電子放出素子を配置したことを特徴とする画像表示装置。
【請求項２】
画像表示装置において、
赤、青及び緑の蛍光体が設けられた第１基板と、
前記赤、青及び緑の各蛍光体に対応して、少なくとも２つの電子放出素子が設けられた第２基板と、を備え、
前記電子放出素子が、２つの金属層間に絶縁層を挟んだＭＩＭ型の電子放出素子であり、前記２つのＭＩＭ型電子放出素子が、互いに電気的に直列接続されていることを特徴とする画像表示装置。
【請求項３】
請求項２に記載の画像表示装置において、前記ＭＩＭ型電子放出素子が容量を持ち、該ＭＩＭ型電子放出素子を直列接続することにより、１つの蛍光体を発光させる電子放出素子の容量を低減するようにしたことを特徴とする画像表示装置。
【請求項４】
請求項２に記載の画像表示装置において、前記直列接続された２つの電子放出素子が、それぞれ同じ駆動を行うことを特徴とする画像表示装置。
【請求項５】
請求項２に記載の画像表示装置において、前記直列接続された２つの電子放出素子が、それぞれ異なる駆動を行うことを特徴とする画像表示装置。
【請求項６】
請求項２に記載の画像表示装置において、前記赤、青及び緑の各蛍光体に対応する少なくとも２つの電子放出素子のうち、２つの蛍光体に対応する２つの電子放出素子が、それぞれ異なる駆動を行うことを特徴とする画像表示装置。
【請求項７】
請求項６に記載の画像表示装置において、前記２つの蛍光体が赤及び青の蛍光体であり、該赤及び青の各蛍光体に対応する２つの電子放出素子のうち、一方の電圧−電子放出特性が、他方の電圧−電子放出特性よりも低いことを特徴とする画像表示装置。
【請求項８】
画像表示装置において、
ｍ本の行配線及びｎ本の列配線が形成され、該行配線と列配線との交差部に（ｍ×ｎ）個の電子放出素子がマトリクス状に配置されたカソード基板と、
前記電子放出素子に対向して青、緑、赤の３色の蛍光体が配置されたカソード基板と、
前記ｎ本の列配線に、映像信号に基づく駆動信号を印加するデータドライブ回路と、
前記ｍ本の行配線に、少なくとも１つの行を選択するための選択信号を、列方向に順次印加するスキャンドライブ回路と、を備え、
前記電子放出素子が、２つの金属層間に絶縁層を挟んだ容量性の電子放出素子であり、前記青、緑及び赤の各蛍光体に対応して、少なくとも２個の前記電子放出素子を直列接続したことを特徴とする画像表示装置。
【請求項９】
請求項８に記載の画像表示装置において、前記電子放出素子はＭＩＭ（Metal Insulator Metal）型の素子であることを特徴とする画像表示装置。
【請求項１０】
請求項８に記載の画像表示装置において、前記赤、青及び緑の各蛍光体に対応する少なくとも２つの電子放出素子のうち、２つの蛍光体に対応する２つの電子放出素子が、それぞれ異なる駆動を行うことを特徴とする画像表示装置。
【請求項１１】
請求項８に記載の画像表示装置において、前記２つの蛍光体が赤及び青の蛍光体であり、該赤及び青の各蛍光体に対応する２つの電子放出素子のうち、一方の電圧−電子放出特性が、他方の電圧−電子放出特性よりも低いことを特徴とする画像表示装置。
【発明の詳細な説明】
【技術分野】
【０００１】
本発明は、電子放出素子からの電子を蛍光体に衝突させて発光させるることにより画像を形成する、例えばField Emission Display (以下、「ＦＥＤ」と略す)等の画像表示装置に関する。
【背景技術】
【０００２】
ＦＥＤにおいて、１つの蛍光体を２つの電子放出素子からの電子により発光させる従来技術としては、例えば下記特許文献１〜３に記載のものが知られている。
【０００３】
【特許文献１】特開平５−２９８４号公報
【特許文献２】特開平１０−５５７４８号公報
【特許文献３】特開２００１−２７３８５９公報
【発明の開示】
【発明が解決しようとする課題】
【０００４】
上記特許文献１及び２は、電子放出素子として、表面伝導型の電子放出素子を用いた構成を開示している。しかしながら、特許文献１及び２は、電子放出素子として、２つの金属層間に絶縁層をサンドウィッチした、いわゆるＭＩＭ（Metal Insulator Metal、以下、単に「ＭＩＭ」と称す）型の電子放出素子を用いた場合の構成については考慮されていない。
【０００５】
特許文献３は、１つの蛍光体を２つのＭＩＭで発光させることを開示している。しかしながら、特許文献３は、２つのＭＩＭ型電子放出素子を互いに並列接続している。ＭＩＭは、上記のように２つの金属層間に絶縁層をサンドウィッチした構造であるので容量性のインピーダンスを有している。このため、同じ容量を持つ２つのＭＩＭ型電子放出素子を互いに並列接続すると、１画素（蛍光体と電子放出素子との組）当りの容量は２倍となり、時定数も２倍となる。よって、蛍光体の発光を例えば２倍とするために、並列接続された２つのＭＩＭ型電子放出素子を（同じ駆動電圧で）同時に駆動しても、上記時定数の増大によって、発光時間（ＭＩＭの駆動時間）までも２倍にならない。従って、特許文献３に記載の構成で明るさを増加させようとしても高い効率が得られない。
【０００６】
本発明は、上記課題に鑑みて為されたものであって、その目的は、効率良く明るい画像が表示可能な技術を提供することにある。
【課題を解決するための手段】
【０００７】
上記目的を達成するために、本発明では、電子放出素子として２つの金属層間に絶縁層を挟んだ容量性を持つ電子放出素子を用いたものにおいて、１つの蛍光体を、互いに電気的に直列接続された少なくとも２つの電子放出素子で発光させるようにしたことを特徴とする。
【０００８】
ここで、１つのＭＩＭの容量をＣｍとすると、ＭＩＭを２個直列に接続した場合の合成容量は、Ｃｍ／２と半減される。このため、１画素における時定数も、ＭＩＭを１つのみ用いたものに比べ半分となり、駆動電圧のパルスをＭＩＭに加えてからピークに達するまでの時間（立ち上がり時間）を短くできる。よって、ＭＩＭを１つの蛍光体に対して一つのみ用いた場合や、２つ用いてこれらを並列接続した場合に比べ、発光時間（ＭＩＭの駆動時間）を長くすることができる。従って、本発明によれば、高い効率で表示画像を明るくすることができる。
【０００９】
ＭＩＭを一つ用いたものに比べ、２倍近く明るさを得たい場合は、上記直列接続された２つのＭＩＭを、それぞれ同じ駆動を行うようにすることが好ましい。白色表示時に良好なホワイトバランスが得られない場合、例えば相対的に緑の発光輝度が弱くマゼンダ色の強い白色が表示される場合は、赤及び青の各蛍光体に対応する２つのＭＩＭの駆動を互いに異ならせてもよい。このとき、赤及び青の各蛍光体に対応する２つの電子放出素子のうち、一方の電圧−電子放出特性を、他方の電圧−電子放出特性よりも低くしてもよい。
【発明の効果】
【００１０】
本発明によれば、高い効率で表示画像を明るくすることができる。
【発明を実施するための最良の形態】
【００１１】
以下、本発明の実施形態について、図面を参照しつつ説明する。
【実施例１】
【００１２】
図１は、本発明に係る画像表示装置の一実施形態を示す図である。
【００１３】
ＦＥＤパネル１は、パッシブマトリクス方式の映像表示装置であり、後述するように複数のデータ線と複数の走査電極線、及びデータ線と走査電極線との交点部に接続された複数の電子放出素子を有している。本実施例で使用される電子放出素子は、２つの金属層間に絶縁層をサンドウィッチした、いわゆるＭＩＭ型の電子放出素子である。以下では、上記と同様に、電子放出素子をＭＩＭと称する。走査電極線にはスキャンドライバ２、３が、データ線にはデータドライバ４〜６が接続されている。ＦＥＤパネル１の水平画素数をｎ、垂直画素数をｍとしたとき、データドライバの出力数がｉ個のＬＳＩを使用すると、データドライバはｎ／ｉ個必要となる。また、スキャンドライバの出力数がｊ個のＬＳＩを使用すると、スキャンドライバはｍ／ｊ個必要となる。本実施形態では、説明の簡略化のため、データドライバを３個、スキャンドライバを２個としているが、実際はこれよりも多い数のドライバが使用される。ＦＥＤパネル１のアノード端子には高圧発生回路７及び高圧制御回路８が接続されている。高圧制御回路８には、電源端子１０から電源が供給される。スキャンドライバ２及び３、データドライバ４〜６及び高圧制御回路８は、タイミングコントロール回路１３からの信号により制御される。以下、各部の動作について説明する。
【００１４】
ビデオ信号端子１１から入力された映像信号は、ビデオ信号処理回路１２で振幅、黒レベル、色合いなどの各種調整が為され、タイミングコントローラ１３に入力される。タイミングコントローラ１３は、ビデオ信号処理回路１２で調整された映像信号、及び映像信号とともに入力された水平及び垂直同期信号に基づいて、スキャンドライバ２及び３、データドライバ４〜６及び高圧制御回路８の夫々に対し、ＦＥＤパネル１の表示面上に映像を表示するための最適なタイミングの信号と映像データを送信する。データドライバ４〜６は、ＦＥＤパネル１の１ライン分の映像データを１水平期間保持し、タイミングコントローラ１３からの水平同期のタイミング信号に同期して、１水平周期毎にデータを書き換える。そして、保持された１ライン分の映像データは、データドライバ４〜６に内蔵されるＤ/Ａ変換器によりアナログ信号に変換され、電子放出素子を駆動させるための駆動信号としてデータドライバ４〜６から各データ線に供給される。一方、スキャンドライバ２〜３は、垂直方向にＦＥＤパネル１の走査電極線を１行ずつ（または数行ずつ）順次選択する。走査線電極の選択は、ある走査線電極に対し、例えば５Ｖ（または−５Ｖ）の選択電圧を印加することにより行われる。非選択時は、例えば０Ｖの電圧を走査電極線に印加する。上記選択電圧を、タイミングコントローラ１３からの水平同期のタイミング信号に応答して、上から順に１行ずつ（または数行ずつ）走査線電極に印加することにより垂直走査が行われる。
【００１５】
ある走査電極線に選択電圧が印加されると、その走査線電極に接続される１行のＭＩＭから、その選択電圧とデータドライバ４〜６からの駆動信号との電位差に応じた電子が放出される。ここで、駆動信号と選択電圧は互いに逆極性であり、例えば選択電圧が正であれば、駆動信号は負となる。ＦＥＤパネル１のアノード端子には、高圧発生回路７からの高圧（アノード電圧）が数ｋＶ加えられている。ＭＩＭからの電子は、このアノード電圧により加速され、電子放出素子に対応して設けられたＦＥＤパネル１内の蛍光体に衝突して蛍光体を励起する。この結果、１行分の蛍光体が発光し、ＦＥＤパネル１の表示面上に１水平ラインの映像が表示される。スキャンドライバ２〜３により、１フレーム期間内において走査線電極の全てが順次選択されると、表示面上に１フレームの映像が表示される。ＦＥＤパネル１に表示する映像が明るい場合は高圧発生回路７からの負荷電流が多く、映像が暗い場合は負荷電流が少なくなる。高圧発生回路７の電圧値は、負荷電流が多くなるに従い低下するが、この負荷電流を電流検出回路９により検出して高圧制御回路８でフィードバック制御することにより、電圧値が一定に保たれる。これにより、高圧安定化の制御が行われる。
【００１６】
次に、ＦＥＤパネル１の内部構成について、図２を参照しつつ説明する。この図２は、赤、青及び緑の３つの画素について、その構造を模式的に示している。ＦＥＤパネル１は、ガラス等の透光性を有する第１基板であるアノード板１０１と第２基板であるカソード板１０２とを備え、アノード板１０１には赤色蛍光体１０３、緑色蛍光体１０４、青色蛍光体１０５が形成されている。カソード板１０２においては、赤の蛍光体に対応して赤のＭＩＭ２０６及び２１６が、緑の蛍光体に対応して緑のＭＩＭ２０７及び２１７が、青の蛍光体１０５に対応して青のＭＩＭ２０８及び２１８がそれぞれ設けられている。すなわち、本実施例では、赤、青及び緑の各蛍光体に対応させて、それぞれ２個ずつＭＩＭを設けている。本実施例では、各蛍光対に対応させて２個のＭＩＭを設けているが、２つ以上、例えば３つ設けてもよい。
【００１７】
ＭＩＭ２０６、２０７、２０８の上部電極は接続配線パターン２２６、２２７，２２８を介して共通の走査電極線１１０に接続されている。電子源２０６，２０７，２０８の下部電極は接続配線パターン２３６、２３７，２３８を介して、それぞれ電子源２１６、２１７、２１８の上部電極に接続されている。電子源２１６、２１７、２１８の下部電極は、それぞれ独立したデータ線１１１、１１２、１１３に接続されている。これにより、赤のＭＩＭ２０６と２１６、緑のＭＩＭ２０７と２１７、及び青の２０８と２１８は、それぞれ互いに電気的に直列接続される。ＭＩＭ２０６、２１６、２０７、２１７、２０８、２１８は、それぞれ、共通の走査電極線１１０の選択時間（すなわち選択電圧の印加時間）とデータ線に印加される駆動信号の電圧値に応じた強さを持つ電子ビーム１２０、１２１、１２２、１３０、１３１，１３２を放出する。電子ビームは、アノード板１０１に印加されたアノード電圧によって、蛍光体１０３〜１０５の方向に加速され、蛍光体１０３〜１０５と衝突する。蛍光体１０３〜１０５は、この電子ビームの衝突により励起され、所定の色の画素が発光される。蛍光体１０３の大きさは、ＭＩＭ２０６と２１６の大きさとを略合計した大きさとなっており、電子ビーム１２０と１３０によって励起発光される。ＭＩＭ２０７と２１７及び蛍光体１０４との大きさの関係、ＭＩＭ２０８と２１８及び蛍光体１０５の大きさの関係も同様である。このように、本実施例においては、１つの蛍光体を発光させる少なくとも２つのＭＩＭを直列接続している。そして、各蛍光対に対応する２つのＭＩＭは、互いに同じ電圧−電子放出特性を持ち、それぞれが同じ駆動を行う。これにより、１つも蛍光体に対し１つのＭＩＭを用いたものに比べ、輝度を大幅に向上させることができる。このとき、走査電極線１１０とデータ線１１１に加えられた電圧を２Ｖｍとすると、ＭＩＭ２１６の上部電極と下部電極間との電圧、及びＭＩＭ２０６の上部電極と下部電極間との電圧は、それぞれＶｍとなっている。すなわち、本実施例においては、１つも蛍光体に対し１つのＭＩＭを用いたものに比べ、上部電極と下部電極間との電圧を２倍としている。
【００１８】
ここで、１つの蛍光体に対し、２つのＭＩＭを並列接続した場合と、本実施例のように直列接続した場合とを対比する。以下において、ＭＩＭを駆動する電圧をＶｍ、ＭＩＭの画素容量をＣｍ、ＭＩＭの電子放出面積をＳｍとする。まず、電子放出面積Ｓｍを２倍にして発光輝度を２倍とするために、１つの蛍光体に対し並列接続された２つのＭＩＭを２つ用いる場合について考える。この場合、ＭＩＭの面積は２Ｓｍとなり、１画素当りのＭＩＭの容量は２Ｃｍとなる。１つの蛍光体に対し１つのＭＩＭを用いた場合（基準駆動時）の駆動エネルギーＥｍが（Ｃｍ・Ｖｍ＾２）／２で表されるとすると、並列接続時の駆動エネルギーＥｐは下記数１で表される。
（数１）  Ｅｐ＝（２・Ｃｍ・Ｖｍ＾２）／２＝２Ｅｍ
このように、並列接続時の駆動エネルギーは、基準駆動時時に比べ２倍となる。一方、蛍光体からの発光輝度は、単位時間あたりの電子ビーム放出量と蛍光体の発光時間（ＭＩＭの駆動時間）との積に略等しい。単位時間あたりの電子ビーム放出量は、駆動電圧Ｖｍに比例する為、比例係数をｋとすれば、ｋ・２Ｖｍで表される。一方、蛍光体の発光時間は、走査電極線１１０の選択期間をＴｍ、ＭＩＭの電荷蓄積時間をＴｃとすれば、（Ｔｍ−Ｔｃ）で表される。この電荷蓄積時間Ｔｃ、すなわち静電容量Ｃｍを充電するための時間遅れは、走査電極線１１０の配線抵抗をＲｍとすれば、ＲｍとＣｍとの積によって定まる時定数に従う。上記のようにＭＩＭを並列接続した場合、１画素当りの容量は２倍となるため、上記並列接続時の蛍光体からの発光輝度Ｌｐは、下記数２で表される。
（数２）  Ｌｐ＝ｋ・２Ｖｍ（Ｔｍ−Ｔｃ）＝ｋ・２Ｖｍ（Ｔｍ−２Ｒｍ・Ｃｍ）
このように、２つのＭＩＭを並列接続した場合は、１画素当りの静電容量が２倍に増えるため、駆動電圧のパルスをＭＩＭに加えてからピークに達するまでの時間（立ち上がり時間）も、ＭＩＭを１つ用いたものに比べ２倍になる。このため、並列接続時においては、蛍光体の発光時間が短くなり、２つのＭＩＭを用いても効率良く輝度を向上することは困難となる（すなわち、２つのＭＩＭを用いても、単純に輝度を２倍とすることはできない）。
【００１９】
一方、電子放出面積Ｓｍを２倍にして発光輝度を２倍とするために、本実施例のように、１つの蛍光体に対し直列接続された２つのＭＩＭを２つ用いる場合について考える。赤のＭＩＭを例にして説明すると、ＭＩＭ２１６と２０６の各静電容量をＣｍとしたとき、１画素当りの静電容量（走査電極線１１０とデータ線１１１との間の静電容量）はＣｍ／２となる。また、上記のように駆動電圧は２倍（ＭＩＭ２０６及び２１６間で２Ｖｍの電圧が印加されている）であるため、直列接続時の駆動エネルギーＥｓ、及び蛍光体からの発光輝度Ｌｓは、それぞれ下記数３及び４で表される。
（数３）  Ｅｓ＝（Ｃｍ／２（２・Ｖｍ）＾２）／２＝２Ｅｍ
（数４）  Ｌｓ＝ｋ・２Ｖｍ（Ｔｍ−Ｒｍ・Ｃｍ／２）
２倍の電子ビーム量を確保する為にＭＩＭの面積を２倍にするときにおいて、２つのＭＩＭを並列接続した場合と直列接続した場合とを比較すると、駆動エネルギーは、両者ともＣｍ・Ｖｍ＾２で同一である。しかしながら、並列接続時の発光輝度Ｅｐは、数２で示したように、ｋ・２・Ｖｍ（Ｔｍ−２Ｒｍ・Ｃｍ）となる。一方、直列接続時の発光輝度Ｅｓは、数４で示したように、ｋ・２・Ｖｍ（Ｔｍ−Ｒｍ・Ｃｍ／２）となる。つまり、直列接続時は、ＭＩＭの電荷蓄積時間Ｔｃを並列接続時の１／４倍となるため、蛍光体の発光時間（Ｔｍ−Ｔｃ）を並列接続時に比べ大幅に長くすることができる。すなわち、同一の駆動エネルギーであっても、ＭＩＭの面積（電子放出面積）が等しい場合には、ＭＩＭを直列接続して駆動する場合の方が、高輝度を得ることが出来る。本実施例においては駆動電圧を２倍（２Ｖｍ）としているが、上述のように直列駆動時の駆動エネルギーＥｓは、並列接続時の駆動エネルギーＥｐと同じであるため、本実施例の方が単位駆動エネルギーで得られる発光輝度が大きい。
【００２０】
このように、本実施例によれば、単位駆動エネルギー当りの発光輝度を高めることができ、高効率で表示画像の輝度を向上させることができる。
【００２１】
また同一輝度を得る場合には、走査線を流れる電流を少なく出来るため、走査線抵抗の電圧低下による画質劣化が抑えられるという、画質改善効果もある。また、プロセス不良などにより、２つのＭＩＭのうち一つが電子源ではなく抵抗体として形成された場合であっても、蛍光体発光を行うことができ、パネルの歩留まりが向上できるという効果もある。
【実施例２】
【００２２】
次に、本発明の第２実施形態について、図３を用いて説明する。上記第１実施例では、直列接続されたＭＩＭをそれぞれ同じ駆動を行わせるようにしたが、これらを異なる駆動としてもよい。このような駆動は、赤、青、緑の発光輝度が相対的に異なる場合に有効である。
【００２３】
図２に示された蛍光体１０３、１０４、１０５は、投射型ブラウン管などに用いられている蛍光体と同じもの、例えば赤色の蛍光体１２３としてＹ２Ｏ３：Ｅｕ、緑色の蛍光体１０４としてＹ２ＳｉＯ５：Ｔｂ、青色の蛍光体１２５としてＺｎＳ:Ａｇ，Ｃｌが使用される。この場合、白色表示時において、赤及び青色の蛍光体の発光強度が相対的に強くなる（すなわち緑色の蛍光体の発光強度が赤及び青色の蛍光体の発光強度よりも相対的に弱い）。従って、ＦＥＤパネル１の表示面に白色映像を表示するために、各ＭＩＭ２０６、２１６、２０７、２１７、２０８、２１８の駆動電圧のレベルを同一とし、各ＭＩＭから生成される電子ビームの強度をほぼ等しくしても、表示映像はマゼンタ色の強い白色となる。すなわち、上述のような蛍光体を使用したＦＥＤは、各蛍光体の発光輝度特性が互いに異なっているため、高い色温度の白色が得られず、良好なホワイトバランスが得られない。
【００２４】
このため、本実施形態では、緑の蛍光体１０４に対応する２つのＭＩＭ２０７と２１７の駆動を互いに同じとし、赤の蛍光体１０３に対応する２つのＭＩＭ２０６と２１６を互いに異ならせるとともに、及び青の蛍光体１０５に対応する２つのＭＩＭ２０８と２１８の駆動も互いに異ならせる。具体的には、赤のＭＩＭ２０６と２１６、そして青のＭＩＭ２０８と２１８の電圧−電子放出特性を互いに異ならせる。例えば、図３に示されるように、ＭＩＭ２０６とＭＩＭ２０８の電圧−電子放出特性を第１特性ａのようにし、ＭＩＭ２１６とＭＩＭ２１８の電圧−電子放出特性を第２特性ｂのようにする。ここで、図３の横軸は、ＭＩＭに印加される駆動電圧のレベルＶを、縦軸は、そのＭＩＭから放出される電子放出量ｅを、更にＶｃは、ＭＩＭが電子放出を開始する閾値電圧を示している。また、閾値電圧Ｖｃは、第１特性ａ及び第２特性ｂともに等しいものとする。本実施例において、第１特性ａは、第２特性ｂよりも低くなっている。
【００２５】
このような特性を持つＭＩＭを上記第１実施例のように直列接続して用いた場合について、赤の蛍光体１０３に対応するＭＩＭを例にして説明する。赤の蛍光体１０３に対応する２つのＭＩＭ２０６と２１６に、それぞれ駆動電圧Ｖ１を印加した場合、ＭＩＭ２０６は第１特性ａに示されるようにｅ１の電子量を放出し、ＭＩＭ２１６は第２特性に示されるようにｅ２の電子量を放出する。青の蛍光体１０５に対応するＭＩＭについても同様である。緑の蛍光体１０４に対応する２つのＭＩＭ２０７と２１７は、いずれも第１特性ａを持つものとする。このとき、赤、青及び緑の蛍光体１０３〜１０５に対応するＭＩＭのそれぞれに同一レベルの駆動電圧Ｖ１を印加した場合、赤及び緑の蛍光体１０３及び１０５にそれぞれ対応する２つのＭＩＭからの電子放出量は、緑の蛍光体１０４対応する２つのＭＩＭからの電子放出量よりも少なくなる。従って、各ＭＩＭに同一レベルの駆動電圧を印加しても、赤及び青の蛍光体１０３及び１０５の発光輝度は、緑の蛍光体の発光輝度１０４よりも小さくなる。すなわち、本実施例の構成によれば、緑の蛍光体の相対輝度を赤及び青の蛍光体の相対輝度よりも高くすることができ、白色表示時にマゼンタ色の強い白色が表示されることが改善される。
【００２６】
ＭＩＭ２１６とＭＩＭ２１８に第２特性ｂを持たせるためには、そのＭＩＭの面積（絶縁層の面積）を、ＭＩＭ２０６とＭＩＭ２０８よりも小さくするとともに、当該ＭＩＭの金属層間の厚さを、ＭＩＭ２０６とＭＩＭ２０８よりも大きくすればよい。このようにすれば、ＭＩＭ２１６及びＭＩＭ２１８の静電容量及び閾値電圧ＶｃをＭＩＭ２０６及びＭＩＭ２０８のそれとほぼ等しくしつつ、ＭＩＭ２１６とＭＩＭ２１８の電圧−電子放出特性をＭＩＭ２１６とＭＩＭ２１８のそれよりも低くすることができる。よって、例えば直列接続されたＭＩＭ２０６と２１６の両端に駆動電圧を加えた場合、各ＭＩＭは互いに静電容量が等しいため、分圧によって各ＭＩＭに加わる駆動電圧を互いに等しくできる。従って、直列接続された２つのＭＩＭの電圧−電子放出特性を異ならせても、電子放出量の制御が容易となる。
【００２７】
このように本実施例によれば、上記第１実施例の効果を得つつ、良好なホワイトランスを得ることが可能となる。
【図面の簡単な説明】
【００２８】
【図１】本発明の第１実施例を示すブロック図
【図２】実施例の図１の具体的構成を説明する詳細図
【図３】本発明の第２実施例を説明するためのＭＩＭの電圧−電子放出特性を示す図
【符号の説明】
【００２９】
１…ＦＥＤパネル、２…スキャンドライバ、４…データドライバ、７…高圧発生回路、８…高圧制御回路、１０…電源端子、１２…ビデオ信号処理回路、１３…タイミングコントローラ、１０３〜１０５…蛍光体、２０６、２１６、２０７、２１７、２０８、２１８…電子放出素子（ＭＩＭ）。
【図１】
2006164578.tif 000003
【図２】
2006164578.tif 000004
【図３】
2006164578.tif 000005